(57)【要約】【課題】  構築材の建入れ直しの作業効率を向上させることができる検査治具を提供することを目的とする。【解決手段】  構築材Ｔの検査面Ｓが張設された糸２に対し所定距離Ｌ０だけ離間するか否かを検査する検査治具１が、検査面Ｓと当接する当接面１５を有する本体１０と、本体１０の当接面１５から検査面Ｓと反対方向の所定位置に固定され、且つ、当接面１５と直交方向の所定の外形を有する固定平板２０と、当接面１５から所定距離Ｌ０だけ離間して該当接面１５と平行な軸１６を中心として本体１０に回動可能に支持される回動平板３０と、を具備し、回動平板３０は、軸１６から直線状に延びる方向に形成され糸２が挿通する長孔３３を有する糸挿通部３４と、該糸挿通部３４の軸１６と反対側に、当接面１５と長孔３３が平行であるときに固定平板３０の外形とその外形が同じである平板部３２と、を備える。【選択図】  図１
2007192612.tif 000002
【特許請求の範囲】
【請求項１】
構築材の検査面が張設された糸に対し所定距離だけ離間するか否かを検査する検査治具であって、
前記検査面と当接する当接面を有する本体と、
該本体の前記当接面から前記検査面と反対方向の所定位置に固定され、且つ、前記当接面と直交方向の所定の外形を有する固定平板と、
前記当接面から前記所定距離だけ離間して該当接面と平行な軸を中心として前記本体に回動可能に支持される回動平板と、を具備し、
前記回動平板は、前記軸から直線状に延びる方向に形成され前記糸が挿通する長孔を有する糸挿通部と、該糸挿通部の前記軸と反対側に、前記当接面と前記長孔が平行であるときに前記固定平板の外形とその外形が同じである平板部と、を備えることを特徴とする検査治具。
【請求項２】
前記本体が、前記構築材に備わる着磁体と着磁する磁石を有することを特徴とする請求項１に記載の検査治具。
【請求項３】
前記糸が、前記構築材の側面から前記所定距離だけ離間する位置から鉛直に張設されており、当該側面と前記検査面との建ちを検査することを特徴とする請求項１又は２に記載の検査治具。
【請求項４】
前記糸が、前記構築材の側面から前記所定距離だけ離間する位置から当該側面と平行に張設されており、当該側面と前記検査面との通りを検査することを特徴とする請求項１又は２に記載の検査治具。
【請求項５】
前記固定平板と前記回動平板の平板部との色が互いに補色関係にあることを特徴とする請求項１から４のいずれか１項に記載の検査治具。
【発明の詳細な説明】
【技術分野】
【０００１】
本発明は、検査面が張設された糸に対し所定距離だけ離間するか否かを検査する検査治具、特に、建築構造物の柱や壁面の建ちや通りを検査する際に用いられる検査治具に関する。
【背景技術】
【０００２】
建築構造物を施工する際には、柱や壁等を構成する構築材が倒れや歪み無く組み立てられていることを検査する必要がある。このような検査は、張設された糸に対して構築材の検査面が所定距離だけ離間するか否かを定規や所定長さの棒を用いた目視確認により行われることが多い。構築材に倒れや歪みが確認された場合には、これらを除去する建入れ直しと呼ばれる微調整作業が行われる。
【０００３】
例えば、建ち込まれた鉄骨柱の建ちを検査する場合、通常、鉄骨柱の上端付近から所定距離だけ水平方向に突出させた位置から錘を付して糸を鉛直に垂下させ、当該鉄骨柱の下端付近の検査面から糸への水平距離が所定距離であるか否かを、作業者が定規や所定長さの棒を用い目視することにより、鉄骨柱が鉛直に立っているか否かを確認する（例えば、特許文献１参照。）。鉄骨柱に倒れが確認された場合には、鉄骨柱の倒れを除去する建入れ直しを行う。この場合、各鉄骨柱の建ちが正常となるように鉄骨柱に接続した調整材を微調整する。
【０００４】
また、建ち込まれた鉄骨柱や壁面の通りを検査する場合、通常、鉄骨柱や壁面から同じ所定距離だけ水平方向にそれぞれ突出させた位置に渡って糸を真っ直ぐに張設し、その間の複数箇所の鉄骨柱の側面や壁面から糸への水平距離が所定距離であるか否かを、作業者が定規や所定長さの棒を用い目視することにより、鉄骨柱の側面や壁面が同一平面状に並んでいるか否かを確認する（例えば、特許文献２参照。）。鉄骨柱の側面や壁面に不揃いが確認された場合には、鉄骨柱や壁面のずれや歪みを除去する建入れ直しを行う。この場合も、各鉄骨柱や壁面の建ちが正常となるように鉄骨柱や壁面材に接続した調整材を微調整する。
【特許文献１】特開平７−４３１６１号公報
【特許文献２】特開２００５−１９５３４５号公報
【発明の開示】
【発明が解決しようとする課題】
【０００５】
しかしながら、建築構造物の建入れ直しを行うごとに構築材等が倒れや歪み無く組み立てられていることを検査して確認する必要があるので、作業工数が多く、作業効率が劣るという問題があった。また、構築材の建入れ直しを行う作業者以外の者が検査すれば、建入れ直しと検査を同時に行うことが可能となるが、作業者が複数人必要となり、全体としての作業効率が劣るという問題があった。
【０００６】
特に、複数の鉄骨柱から構成される建築構造物の建入れ直しを行う場合、調整材を微調整するごとに検査すべき鉄骨柱が複数あるので、作業工数が多く、作業効率が非常に劣るという問題があった。また、鉄骨柱や壁面の通りを検査する場合、調整材を微調整するごとに検査すべき鉄骨柱や壁面が複数あるので、作業工数が多く作業効率が非常に劣るという問題があった。
【０００７】
本発明は、前記課題に鑑みてなされたものであり、構築材の検査面が張設された糸に対し所定距離だけ離間するか否かを検査する検査治具であって、当該構築材の建入れ直しの作業効率を向上させることができる検査治具を提供することを目的とする。
【課題を解決するための手段】
【０００８】
上記目的を達成するために、請求項１に記載の検査治具は、構築材の検査面が張設された糸に対し所定距離だけ離間するか否かを検査する検査治具であって、前記検査面と当接する当接面を有する本体と、該本体の前記当接面から前記検査面と反対方向の所定位置に固定され、且つ、前記当接面と直交方向の所定の外形を有する固定平板と、前記当接面から前記所定距離だけ離間して該当接面と平行な軸を中心として前記本体に回動可能に支持される回動平板と、を具備し、前記回動平板は、前記軸から直線状に延びる方向に形成され前記糸が挿通する長孔を有する糸挿通部と、該糸挿通部の前記軸と反対側に、前記当接面と前記長孔が平行であるときに前記固定平板の外形とその外形が同じである平板部と、を備えることを特徴としている。
【０００９】
請求項２に記載の検査治具は、請求項１に記載の検査治具において、前記本体が、前記構築材に備わる着磁体と着磁する磁石を有することを特徴としている。
【００１０】
請求項３に記載の検査治具は、請求項１又は２に記載の検査治具において、前記糸が、前記構築材の側面から前記所定距離だけ離間する位置から鉛直に張設されており、当該側面と前記検査面との建ちを検査することを特徴としている。
【００１１】
請求項４に記載の検査治具は、請求項１又は２に記載の検査治具において、前記糸が、前記構築材の側面から前記所定距離だけ離間する位置から当該側面と平行に張設されており、当該側面と前記検査面との通りを検査することを特徴としている。
【００１２】
請求項５に記載の検査治具は、請求項１から４の何れか１項に記載の検査治具において、前記固定平板と前記回動平板の平板部との色が互いに補色関係にあることを特徴としている。
【発明の効果】
【００１３】
請求項１に記載の検査治具によれば、軸から直線状に延びる方向に形成され糸が挿通する長孔を有する糸挿通部を備える回動平板が、当接面から所定距離だけ離間して当該当接面と平行な軸を中心として本体に回動可能に支持される。そして、回動平板の平板部は、当接面と長孔が平行であるときに固定平板の外形と外形が同じである。従って、構築材の検査面が張設された糸に対し所定距離だけ離間している場合、軸方向視において固定平板と回動平板の平板部との外形が一致する。一方、構築材の検査面が張設された糸に対し所定距離だけ離間していない場合、長孔を挿通する糸の張力により回動平板が回動し、軸方向視において固定平板と回動平板の平板部との外形が一致しない。そのため、構築材の検査面が張設された糸に対し所定距離だけ離間するか否かを、軸方向視において固定平板と回動平板の平板部との外形が一致するか否かを目視により確認することによって、容易に検査することができる。また、張設された糸が長孔を挿通する限り、構築材の検査面が当該糸に対し所定距離だけ離間するか否かを検査することができる。そのため、構築材の検査面と当該糸との相対的な位置関係が所定の範囲内にある場合には、構築材の傾きや歪み等を調整材により微調整しながら、検査治具を移動等させることなくそのまま検査することができるので、作業効率を向上させることが可能となる。また、回動平板が回動した場合、回動半径に比例して固定平板と回動平板の平板部との外形のずれが生じるので、該ずれの有無を容易に目視により確認することができ、離れた位置からも確実に検査することが可能となる。
【００１４】
請求項２に記載の検査治具によれば、構築材に備わる着磁体と着磁する磁石を当接部が有する。そのため、構築材に着磁体が備わる場合、当該構築材の検査面と当接面を当接させた状態で検査治具を一時的に仮固定することが可能となる。そのため、作業者が調整材を微調整する場合、補助者に検査治具を保持させる必要や作業者自らが検査治具を保持する必要なく検査することができるので、補助者の省人化や作業工数の短縮化が可能となる。また、検査治具の脱着や当接位置の変更が容易なため、作業時間の短縮化が可能となる。
【００１５】
請求項３に記載の検査治具によれば、構築材の側面から所定距離だけ離間する位置から鉛直に糸が張設され、当該側面と検査面との建ちを検査するために当該検査治具を用いる。そのため、構築材の建ちを検査する際に、前述した各効果を得ることができる。
【００１６】
請求項４に記載の検査治具によれば、構築材の側面から所定距離だけ離間する位置から当該側面と平行に糸が張設され、当該側面と検査面との通りを検査するに当該検査治具を用いる。そのため、構築材の通りを検査する際に、前述した各効果を得ることができる。
【００１７】
請求項５に記載の検査治具によれば、固定平板と回動平板の平板部との色が互いに補色関係にあるので、固定平板と回動平板の平板部との外形のずれの有無をさらに容易に目視により確認することができ、離れた位置からもさらに確実に検査することが可能となる。
【発明を実施するための最良の形態】
【００１８】
以下、本発明の実施形態に係る検査治具について図面に基づき説明する。本検査治具１は、図１に示すように、構築材Ｔの検査面Ｓが張設された糸２に対し所定距離Ｌ０だけ離間するか否かを検査するものであり、図１及び図２に示すように、本体１０、固定平板２０及び回動平板３０を備えている。
【００１９】
本体１０は、固定平板２０を固定し、回動平板３０を支持するためのものである。ここで、本体１０は、第１及び第２のＬ字形ブラケット１１，１２を、それぞれの一方の片１１ａ，１２ａの外面が互いに当接するようにボルト１３によって固定したものである。Ｌ字形ブラケット１１，１２の他方の片１１ｂ，１２ｂの外面は当接する面から互いに離れる反対方向に向かって延び、これら外面を含みなる平面は互いに直交する。
【００２０】
本体１０である第１のＬ字形ブラケット１１の前記他方の片１１ｂに、磁石１４が設けられている。磁石１４が構築材Ｔに備わる着磁体に着磁し、磁石１４の当接面１５が構築材Ｔの検査面Ｓに当接して、検査治具１が仮固定される。着磁体は、構築材Ｔである鉄骨柱や壁を構成する金属製パネル等である。構築材Ｔの検査面Ｓは、鉄骨柱の側面や金属製パネルよりなる壁面等などであり、一定面積の平面からなる。ここでは、平板状の磁石１４を第１のＬ字形ブラケット１１の片１１ｂの外面に接着剤等により接着しているが、磁石１４を片１１ｂに嵌合、埋設、内包等するものであってもよい。
【００２１】
固定平板２０は、本体１０の当接面１５から検査面Ｓと反対方向の所定位置に固定され、且つ、当接面１５と直交方向の所定の外形を有している。ここで、固定平板２０は、薄い平板状の金属、樹脂、木材等からなる所定の外形を有する平板であり、本体１０である第２のＬ字形ブラケット１２の前記他方の片１２ｂに固定して設けられている。例えば、固定平板２０は、第２のＬ字形ブラケット１２の片１２ｂの外面に溶接、接着等により固着されている。
【００２２】
回動平板３０は、当接面１５から所定距離Ｌ０だけ離間して該当接面１５と平行な軸１６を中心として本体１０に回動可能に支持されている。ここで、回動平板３０は、薄い平板状の金属、樹脂、木材等からなり、本体１０に固定して設けられた軸１６に回動可能に軸支されている。軸１６は、当接面１５から所定距離Ｌ０、例えば５０ｍｍだけ離間する平行なラインをその中心とし、本体１０である第２のＬ字形ブラケット１２の前記他方の片１２ｂに固定的に設けられている。回動平板３０は、その平板の厚さ方向に孔３１が貫設されており、軸１６が孔３１に挿通されて、回動平板３０が当接面１５に対して直交する方向に回動可能に本体１０に軸支されている。この軸１６はピンであり、回動平板３０の孔３１及び第２のＬ字形ブラケット１２の片１２ｂに貫設された孔１７に当該ピンが挿通され、図示しない抜け止め手段を有している。抜け止め手段は、例えば、割りピンや継手ピン等の抜け止めピン、かしめ、スナップリング、ネジを含むものである。なお、軸１６は、第２のＬ字形ブラケット１２に固定して設けられるものであってもよい。本体１０に軸支された回動平板３０は、第１のＬ字形ブロック１１等との干渉によってはその回動が妨げられない。
【００２３】
回動平板３０は、その回動の軸方向視（その平板の上面視、図１における矢印Ａ視）において固定平板２０の外形とその外形が同じである平板部３２を備えている。
【００２４】
回動平板３０は、軸１６が挿通される孔３１の平板部３２とは反対側に、軸１６から直線状に延びる方向に形成され、張設された糸２が挿通する長孔３３を有する糸挿通部３４を備えている。長孔３３は、回動平板３０の軸方向視において糸２の径に相当する（略等しい）幅を短手方向に有し、その長手方向の側端部が外方に向いて開口しており、長Ｕ字状の切り込みが平板の厚さ方向に貫通して形成されている。長孔３３の長手方向に延びる中心線Ｃを延長したライン上には、長孔３３の開口の反対側に軸１６が位置している。糸挿通部３４は、平板部３２と一体に設けられ、回動平板３０は全体として１枚の平板からなっている。
【００２５】
長孔３３と当接面１５が平行であるときには、長孔３３の中心線Ｃが当接面１５から所定距離Ｌ０だけ離間して平行に位置しており、回動平板３０は、その軸方向視において平板部３２の外形が固定平板２０の外形と一致する。この位置が回動平板３０の基準位置となる。なお、回動平板３０は、第２のＬ字形ブラケット１２の片１２ｂの外面との間にスペーサやボス等の介在部材４０を介在させることにより、固定平板２０より上方にて、固定平板２０と接触することなく回動するように構成されていることが好ましい。
【００２６】
図３（ａ）に示すように、長孔３３の中心線Ｃと当接面１５とが所定距離Ｌ０だけ離間するとき、すなわち回動平板３０が基準位置に位置するとき、固定平板２０は、軸方向視（図３（ａ）から図３（ｃ）における図面奥向き視、図１における矢印Ａ方向視、又はこれらの反対方向視）において回動平板３０の平板部３２（図１及び図２参照。）の外形とその外形が一致する。これにより、長孔３３を挿通する糸２が検査面Ｓから所定距離Ｌ０だけ離間するとき、軸方向視において固定平板２０は回動平板３０によって完全に覆い隠され視認することができない。一方、図３（ｂ）及び図３（ｃ）に示すように、長孔３３を挿通する糸２が検査面Ｓから所定距離Ｌ０だけ離間していないとき、長孔３３に挿通された糸２の張力によって糸２が真っ直ぐになるように回動平板３０が回動し基準位置からずれるため、軸方向視において固定平板２０は回動平板３０によって完全には覆い隠されず、固定平板２０の一部を視認することができる。少なくとも回動平板３０と固定平板２０との軸方向視における面の色を互いに補色関係にあるものとすれば、ずれが生じているか否かをさらに明瞭に視認することができる。例えば、回動平板３０を緑色に、固定平板２０を赤色にそれぞれ彩色する。
【００２７】
以下、本実施形態に係る検査治具１を用いて構築材Ｔの検査面Ｓが張設された糸２に対し所定距離Ｌ０だけ離間するか否かを検査する方法について図面に基づき説明する。図１に示すように、張設された糸２を回動平板３０の長孔３３に略厚さ方向に挿通させた状態で、当接面１５を検査面Ｓに当接して着磁させ、検査治具１を構築材Ｔに一時的に仮固定する。検査治具１は、構築材Ｔに着磁により仮固定されるので、位置決めに伴う移動が作業者の手によって容易に可能となる。また、検査面Ｓに対して、回動平板３０が厳密に水平になるよう検査治具１を着磁させる必要がなく、概略水平に着磁するだけでよい。そして、作業者が軸方向視から固定平板２０を目視により確認する。
【００２８】
図３（ａ）に示すように、固定平板２０が回動平板３０によって完全に覆い隠されて視認することができない場合、回動平板３０が基準位置に位置しており、張設された糸２に対し検査面Ｓが所定距離Ｌ０だけ離間していると判別する。一方、図３（ｂ）に示すように、固定平板２０の検査面Ｓ方向の一部が回動平板３０によって覆い隠されずに視認することができた場合、回動平板３０が基準位置より検査面Ｓ方向に回動しており、張設された糸２に対し検査面Ｓが所定距離Ｌ０より短い任意の距離Ｌ１だけ離間していると判別する。一方、固定平板２０の検査面Ｓとは反対方向の一部が回動平板３０によって覆い隠されずに視認することができた場合、回動平板３０が基準位置より検査面Ｓとは反対方向に回動しており、張設された糸２に対し検査面Ｓが所定距離Ｌ０より長い任意の距離Ｌ２だけ離間していると判別する
【００２９】
このように、検査治具１を一度構築材Ｔに着磁させて仮固定すれば、糸２が長孔３３を挿通する範囲内においては、糸２や検査面Ｓが移動しても、張設された糸２に対し検査面Ｓが所定距離Ｌ０だけ離間しているか否か、さらに所定距離Ｌ０だけ離間していない場合には離間距離が所定距離Ｌ０より短いか長いかを目視のみによって容易に判別することができる。そのため、作業者は、張設された糸２に対し検査面Ｓが所定距離Ｌ０だけ離間するように、糸２が張設された又は検査面Ｓを構成する構築材Ｔを調整材により微調整する際に、微調整ごとの定規等による検査や他者による検査の補助などが必要なくなり、省力化や作業工数の短縮化を図り、作業効率を向上させることが可能となる。また、検査面Ｓに対する直交性は検査治具１を検査面Ｓに着磁させるだけで確保することができ、糸２と検査面Ｓとの距離を確実に検査することができる。
【００３０】
なお、回動平板３０の回動角度と検査面Ｓとの距離ずれとは必ずしも比例しない。糸２は長孔３３内の任意の位置を挿通し、その挿通位置によって距離ずれが同じであっても回動半径は異なる。また、検査治具１は、簡易な構成によって、通常の傾き等の範囲内において当接位置に影響を受けることなく、距離ずれの有無を確実に視認によって明瞭に確認することができる。回動平板３０を検査面Ｓに対し正確に水平となるように設置する必要はなく、大概に水平に着磁するだけで、検査面Ｓに対する直交性を確実に確保して距離ずれの有無を検査することができる。
【００３１】
次に、本実施形態に係る検査治具１を用いて検査する方法の一例として構築材の建ちを検査する方法について図面に基づき説明する。この検査は、図４に示すように、構築材である鉄骨柱Ｕの建ちが正常であるか否か、すなわち鉄骨柱Ｕが鉛直方向に真っ直ぐに立っており倒れが無いか否か検査するものである。検査対象となる鉄骨柱Ｕの上端近傍の側面から所定距離Ｌ０だけ離間する位置から糸（下げ振り糸）２に錘（下げ振り）５０を付けることによって鉛直に張設し、当該鉄骨柱Ｕの下端近傍の側面である検査面Ｓから所定距離Ｌ０だけ糸が離間するか否かを確認することにより検査する。なお、鉄骨柱Ｕは、１本の鉄骨を用いた鉄骨柱であっても、複数の鉄骨を鉛直方向に繋ぎ合わせた鉄骨柱であってもよい。
【００３２】
この場合、鉛直方向に張設された糸２を略水平の回動平板３０の長孔３３に挿通させた状態で、当接面１５（図３（ａ）等参照。）を検査面Ｓに当接させて検査治具１を鉄骨柱Ｕに着磁させて仮固定する。そして、作業者が上方から固定平板２０を目視によって鉄骨柱Ｕの建ちを確認する。固定平板２０が回動平板３０によって完全に覆い隠されて視認することができない場合、鉄骨柱Ｕの建ちは正常であると判別する。そして、固定平板２０の検査面Ｓ方向の一部が回動平板３０によって覆い隠されずに視認することができた場合、鉄骨柱Ｕはその上端が糸２側に傾いていると判別する。一方、固定平板２０の検査面Ｓとは反対方向の一部が回動平板３０によって覆い隠されずに視認することができた場合、鉄骨柱Ｕはその上端が糸２側と反対方向に傾いていると判別する。
【００３３】
このように、検査治具１を一度鉄骨柱Ｕに着磁させて仮固定すれば、糸２が長孔３３を挿通する範囲内においては、鉄骨柱Ｕの傾きを変えても、鉄骨柱Ｕの建ちが正常であるか否か、さらに建ちが正常でない場合には糸２側かあるいはその反対側のどちら側に傾いているかを上方からの目視のみによって容易に判別することができる。そのため、作業者は、鉄骨柱Ｕの建ちが正常となるように、鉄骨柱Ｕに接続した調整材（不図示）を微調整する際、その微調整ごとの定規等による検査や他者による検査の補助などが必要なくなる。特に、複数の鉄骨柱Ｕから構成される建築構造物の建入れ直しを行う場合、各鉄骨柱Ｕの建ちが正常となるように調整材を微調整する必要がある。このような場合、検査治具１を各鉄骨柱Ｕにそれぞれ仮固定すれば、各鉄骨柱Ｕの傾きをそれぞれ確認しながら微調整することができ、容易に一人で微調整することが可能になる。さらに、作業者は脚立等に登ったまま等、離れた位置から鉄骨柱Ｕの傾きを確認することができるので、容易に一人で微調整することが可能になる。
【００３４】
次に、本実施形態に係る検査治具１を用いて検査する方法の一例として構築材の通りを検査する方法について図面に基づき説明する。この検査は、構築材である複数の鉄骨柱や壁面の通り（面一性）を検査するものである。ここでは、図５に示すように、複数の壁面Ｖの通りを検査する方法について説明する。検査対象となる複数の壁面Ｖのうち、水平方向の両端に位置する壁面Ｖを基準面とし、これら基準面からそれぞれ同じ所定距離Ｌ０だけ離間する位置を結ぶように水平に糸２を張設、すなわち水糸２を張設し、これら壁面Ｖの間に位置する壁面Ｖの検査面Ｓから所定距離Ｌ０だけ糸２が離間するか否かを検査するものである。
【００３５】
この場合、張設された糸２を略垂直の回動平板３０の長孔３３に挿通させた状態で、当接面１５（図３（ａ）等参照。）を検査面Ｓに当接して着磁させ、検査治具１を壁面Ｖにそれぞれ仮固定する。回動平板３０は、自身の重量により長孔３３の開口を真上に向けて鉛直となるが、糸２の張力によって回動する。そして、作業者が側方から固定平板２０を目視によって確認する。固定平板２０が回動平板３０によって完全に覆い隠されて視認することができない場合、壁面Ｖは基準面と面一であると判別する。一方、固定平板２０の検査面Ｓ方向の一部が回動平板３０によって覆い隠されずに視認することができた場合、壁面Ｖは基準面より糸２側に出っ張っていると判別する。一方、固定平板２０の検査面Ｓとは反対方向の一部が回動平板３０によって覆い隠されずに視認することができた場合は、壁面Ｖは基準面Ｓより糸２側と反対方向に引っ込んでいると判別する。
【００３６】
このように、複数の検査治具１を一度壁面Ｖにそれぞれ仮固定すれば、糸２が長孔３３を挿通する範囲内においては、壁面Ｖの位置を変えても、壁面Ｖの通りが正常に確保されているか否か、さらに通りが正常に確保されていない場合には糸２側かあるいはその反対側のどちら側にずれているかを側方からの目視のみによって容易に判別することができる。そのため、作業者は、各壁面Ｖの通りが正常となるように、各壁面Ｖを微調整する際に、微調整ごとの定規等による検査や他者による検査の補助などが必要なくなる。
【図面の簡単な説明】
【００３７】
【図１】本発明の実施形態に係る検査治具１を使用した構築材Ｔの検査を概念的に説明する斜視図である。
【図２】検査治具１の分解斜視図である。
【図３】検査治具１を使用した構築材Ｔの検査を概念的に説明する上面図であり、検査面Ｓと糸２との距離が、（ａ）は所定距離Ｌ０、（ｂ）は所定距離Ｌ０より短い距離、（ｃ）は所定距離Ｌ０より長い距離である場合をそれぞれ示す。
【図４】検査治具１を使用した鉄骨柱Ｕの建ちの検査を概念的に説明する斜視図である。
【図５】検査治具１を使用した壁面Ｖの通りの検査を概念的に説明する斜視図である。
【符号の説明】
【００３８】
１  検査治具
２  糸
１０  本体
１４  磁石
１５  当接面
２０  固定平板
３０  回動平板
３２  平板部
３３  長孔
３４  糸挿通部
Ｓ  検査面
Ｔ  構築材
Ｕ  鉄骨柱（構築材）
Ｖ  壁面（構築材）
【図１】
2007192612.tif 000003
【図２】
2007192612.tif 000004
【図３】
2007192612.tif 000005
【図４】
2007192612.tif 000006
【図５】
2007192612.tif 000007